(57)【要約】【課題】  調光機能を備えるとともに、器具本体の高さを低くして小型化の可能なスタンド型照明器具の提供。【解決手段】  調光ボリュームが配置される基板と点灯装置とが設けられる器具本体と、同器具本体に一端が固設されるアームと、同アーム他端に設けられる灯具と、を備えたスタンド型照明器具において、前記アームを前記器具本体の背面側に設け、前記調光ボリュームを該器具本体の上部中央に配置するとともに前記基板に位置決め用の孔を穿設し、該器具本体の内側にボスを設けて同ボスと当該孔と合わせることで調光ボリュームに位置決めさせて成るものである。【選択図】図１
2005216496.tif 000002
【特許請求の範囲】
【請求項１】
調光ボリュームが配置される基板と点灯装置とが設けられる器具本体と、同器具本体に一端が固設されるアームと、同アーム他端に設けられる灯具と、を備えたスタンド型照明器具において、
前記アームを前記器具本体の背面側に設け、前記調光ボリュームを該器具本体の上部中央に配置するとともに前記基板に位置決め用の孔を穿設し、該器具本体の内側にボスを設けて同ボスと当該孔と合わせることで調光ボリュームに位置決めさせて成ることを特徴とするスタンド型照明器具。
【請求項２】
前記器具本体の前面上部に前記灯具に設けられた光源点滅用のスイッチを配設し、同スイッチを覆うスイッチカバーと器具本体に設けられるスイッチ取付部とを凹凸嵌合によりスライドガイドさせて成ることを特徴とする請求項１記載のスタンド型照明器具。
【請求項３】
前記調光ボリュームは高円滑性樹脂製のボリュームカバーに覆われるとともに、ボリュームカバーを前記本体の凹所に埋設させて成ることを特徴とする請求項１記載のスタンド型照明器具。
【請求項４】
前記器具本体は略コ字状の鉄製の台を介して略平板状の取付台と一体化され、前記点灯装置を同鉄製の台の内側に位置させその鉄製の台の背面側に設けられる樹脂製の取付部材に取り付けて成ることを特徴とする請求項１記載のスタンド型照明器具。
【請求項５】
前記アームを、前記樹脂製の取付部材の背面側から延設させたものであることを特徴とする請求項４記載のスタンド型照明器具。
【請求項６】
前記調光ボリュームは、前記鉄製の台の内側に取り付けられたものであることを特徴とする請求項１記載のスタンド型照明器具。
【発明の詳細な説明】
【技術分野】
【０００１】
本発明は、スタンド型照明器具に関するものである。
【背景技術】
【０００２】
従来からのスタンド型照明器具としては、例えば、図２に示すスタンド型照明器具１１（第１の従来例）がある。このものは、器具本体１２と、鉄製の板１３ａに取り付けられた点灯装置１３と、電極部１４ｃを有するソケット１４ｂと電極部１４ｃを嵌めたコンパクト型蛍光灯ランプ１４ａとを有する灯具１４と、スイッチ１５と、アーム１６と、器具本体１２の上部に設けたアーム可動部１６ａと、を備え、ソケット４ｂと点灯装置１３とを電線を介して電気的に接続することで点灯回路を形成しており、スイッチ１５を操作することにより点灯回路を動作させるものである。
【０００３】
ところで、最近、補助照明であるスタンド型照明器具による光源の明るさを連続的に調光させて、部屋全体の雰囲気を演出することの要望が高まってきている。しかしながら、この場合のスタンド型照明器具１１は、連続調光できないものである。
【０００４】
更に、点灯装置１３は、鉄製の板１３ａに取り付けているため、電気的な絶縁性確保のために点灯装置１３と鉄製の板１３ａとの間に絶縁材を介在させる必要があった。
【０００５】
更に、灯具１４を前面とした場合、鉄製の板１３ａが器具本体１２の側面方向に向いているため鉄製の板１３ａの位置にアーム可動部１６ａを配置することができなくなる。従って、器具本体１２は、アーム可動部１６ａを器具本体１２の上部に配置させることとなり器具本体１２の全高寸法を高くする必要があった。
【０００６】
また、図３に示す別のスタンド型照明器具２１（第２の従来例）がある。このものは、器具本体２２と、鉄製の板２３ａに取り付けられた点灯装置２３と、電極部２４ｃを有するソケット２４ｂと電極部２４ｃを嵌めたコンパクト型蛍光灯ランプ２４ａとを有する灯具２４と、スイッチ２５と、アーム２６と、を備え、ソケット２４ｂと点灯装置２３とを電線で電気的につなぎ合わせることで点灯回路を形成しており、スイッチ２５を操作することにより点灯回路を動作させるものである。このスタンド型照明器具２１も、連続調光できないものであり、また点灯装置２３の上部に不燃材がないため全高寸法を高くする必要があった。
【０００７】
また、特開平９−４６０５８号公報に記載されている、さらに別のスタンド型照明器具３１（第３の従来例）がある。このものは、図４に示すように、器具本体３２と、点灯装置３３と、灯具３４、スイッチ３５と、アーム３６と、を備えている。
【０００８】
器具本体３２は、左右方向に２つ割りされて、第１のカバー３２ａと、第２のカバー３２ｂとを有し、その２つ割りされた分割面３２ｃの一方には係合爪３２ｄが設けられ、他方には係合爪３２ｄに係合する係合部３２ｅが設けられて、分割面に沿ってスライドさせることにより係合爪３２ｄを係合部３２ｅに係合させて結合一体化される電気器具の器具本体３２であって、外面に分割面３２ｃにまたがってスライド方向と角度をなす傾斜面３２ｆを設け、傾斜面３２ｆの内側に頭部３５ａを分割面３２ｃにまたがるように傾斜面３２ｆに突出させてスイッチ３５を収納すると共に、スイッチ３５の頭部３５ａを囲む傾斜面３２ｆに、分割面３２ｃに対して直交方向に一対の係止爪３９ａを備えたプレート３９を、係止爪３９ａにより固定させたものである。
【０００９】
このスタンド型照明器具３１も、連続調光できないものであり、また、点灯装置３３が器具本体３２の側面方向に向いているため点灯装置３３の位置にアーム３６を配置することができない構成である。したがって、点灯装置３３の上部にアーム３６を配置しなければないこととなって器具本体３２の全高寸法を高くする必要があった。
【特許文献１】特開平９−４６０５８号公報
【発明の開示】
【発明が解決しようとする課題】
【００１０】
本願発明は、上記背景技術に鑑みて発明されたものであり、その課題は、調光機能を備えるとともに、器具本体の高さを低くして小型化の可能なスタンド型照明器具を提供することである。
【課題を解決するための手段】
【００１１】
調光ボリュームが配置される基板と点灯装置とが設けられる器具本体と、同器具本体に一端が固設されるアームと、同アーム他端に設けられる灯具と、を備えたスタンド型照明器具において、前記アームを前記器具本体の背面側に設け、前記調光ボリュームを該器具本体の上部中央に配置するとともに前記基板に位置決め用の孔を穿設し、該器具本体の内側にボスを設けて同ボスと当該孔と合わせることで調光ボリュームに位置決めさせて成るものである。
【００１２】
また、前記器具本体の前面上部に前記灯具に設けられた光源点滅用のスイッチを配設し、同スイッチを覆うスイッチカバーと器具本体に設けられるスイッチ取付部とを凹凸嵌合によりスライドガイドさせて成ることが好ましい。
【００１３】
また、前記調光ボリュームは高円滑性樹脂製のボリュームカバーに覆われるとともに、ボリュームカバーを前記器具本体の凹所に埋設させて成ることが好まし。
【００１４】
また、前記器具本体は略コ字状の鉄製の台を介して略平板状の取付台と一体化され、前記点灯装置を同鉄製の台の内側に位置させその鉄製の台の背面側に設けられる樹脂製の取付部材に取り付けて成ることが好ましい。
【００１５】
また、前記アームを、前記樹脂製の取付部材の背面側から延設させたものであることが好ましい。
【００１６】
また、前記調光ボリュームは、前記鉄製の台の内側に取り付けられたものであることが好ましい。
【発明の効果】
【００１７】
本願発明の照明器具においては、調光ボリュームが器具本体の中央に位置することでその操作性に優れ、アームが器具本体の背面側に位置するので、器具本体の高さを低くして小型化が可能となる。
【００１８】
更に、スイッチカバーは、スイッチ取付部と凹凸嵌合によりスライドガイドさせて成るために、前記スイッチが前倒しにならなくて操作性が維持され且つ器具本体内部が見えなくなるので外観性が向上する。
【００１９】
更に、前記調光ボリュームは、高円滑性樹脂製のボリュームカバーに覆われるとともに、ボリュームカバーを前記器具本体の凹所に埋設されるので、前記調光ボリュームの操作性を損なうことなく小型化が可能となる。
【００２０】
更に、前記器具本体は略コ字状の鉄製の台を介して略平板状の取付台と一体化され、前記点灯装置を同鉄製の台の内側に位置させその鉄製の台の背面側に設けられる樹脂製の取付部材に取付けられるので器具本体を小さくすることができる。
【００２１】
更に、前記アームは、前記樹脂製の取付部材の背面側から延設されるので、外観性が向上する。
【００２２】
更に、前記調光ボリュームは、前記鉄製の台の内側に取り付けられるので前記器具本体を小さくすることができる。
【発明を実施するための最良の形態】
【００２３】
図１は、本願の請求項１から請求項６全てに対応した一実施形態であるスタンド型照明器具１である。図１に示すように、器具本体２と、点灯装置３と、灯具４と、スイッチ５と、アーム６と、ベース７と、鉄製の台８と、取付台９と、調光ボリューム１０と、を備えている。このものは、略板状のベース７の上に鉄製の台８で固定された略角柱状の器具本体２と取付台９とが取り付けられている。そして、灯具４を前面とした場合、その器具本体２の後部にアーム６の一端が固設され、アーム６他端には灯具４が取り付けられている。点灯装置３と灯具４とアーム６とを電線で電気的に接続することで点灯回路を形成しており、スイッチ５を操作することにより点灯回路を動作させるものである。
【００２４】
器具本体２は、アーム６を器具本体２の背面側に設け、後述する調光ボリューム１０を器具本体２の上部中央に配置すると共に、調光ボリューム１０が配置される基板１０ａに位置決め用の孔１０ｂを穿設し、器具本体２の内側にボス２ａを設けてボス２ａと孔１０ｂと合わせることで調光ボリューム１０に位置決めさせて成るものである。このことにより調光ボリューム１０は、簡単に器具本体２の上部中央に配置することができる。
【００２５】
更に、器具本体２の前面上部に灯具４に設けられた光源であるランプ４ａの点滅用のスイッチ５を配設し、更に、スイッチカバー５ａの前面側と嵌合するような凸部２ｅが設けられている。そして、スイッチ５を覆うスイッチカバー５ａと器具本体２に設けられるスイッチ取付部２ｂとを凹凸嵌合によりスライドガイドさせている。
【００２６】
点灯装置３は、例えば、インバータ式点灯回路点灯のようなものであり、商用の交流電源を整流平滑し、高周波に変換して蛍光灯を点灯させるものである。このものは、絶縁物である背面部品３ａを有し、背面部品３ａに取り付けられている。そして、後述する鉄製の台８の内部に配置されており、その上部には不燃材（図示せず）が設けられている。例えば、鉄製の台８の内部に配置する場合は、取付部材２ｃに取付片２ｆを設け、鉄製の台８の後部側面に穴（図示せず）を設け、前記穴を介して背面部品３ａに取り付けると良い。
【００２７】
灯具４は、ランプ４ａを装着するものである。このものは、電極部４ｃを有するソケット４ｂと電極部４ｃを嵌めたランプ４ａとを備えている。灯具４を可動させるためのアーム６の一方の先端である第二の可動部６ｂを介して一灯設けられている。
【００２８】
スイッチ５は、ランプ４ａを点灯、消灯するもので、いわゆるタッチスイッチであって、金属部材により形成され、例えば、スイッチ５に触れた場合には灯具４のランプ４ａが点灯するように構成されているものである。
【００２９】
なお、スイッチ５は、ランプ４ａを点灯又は消灯に切り替えるためのものであり、タッチスイッチに限定するものではない。
【００３０】
アーム６は、灯具４を可動させるためのものである。このものは、第一の可動部６ａと第二の可動部６ｂを有し、第一の可動部６ａを取付部材２ｃの背面側から延設させると共に、第二の可動部６ｂを介して灯具４に取り付けられている。
【００３１】
鉄製の台８は、略コ字状であり、主に器具本体２と取付台９を固定するためのものであり、その側面は、器具本体２の前面と同じ方向である。その上面には調光ボリューム１０を下方より挿入できる孔（図示せず）が設けてあり、そして、調光ボリューム１０は、鉄製の台８の内側に取り付けられる。
【００３２】
調光ボリューム１０は、ランプ４ａの明るさを連続的に変化させるものであり、基板１０ａに配置されると共に、ボリュームカバー１０ｃを有している。ボリュームカバー１０ｃは、例えば、高円滑性樹脂で形成されている。調光ボリューム１０は高円滑性樹脂製のボリュームカバー１０ｃに覆われる共に、ボリュームカバー１０ｃを前記本体の凹所２ｄに埋設されている。
【００３３】
なお、調光ボリューム１０は、段調光のように、設定された幾つかの明るさを切り替えるようなものでもよい。
【００３４】
このような、スタンド型照明器具１において、調光ボリュームが器具本体２の中央に位置することでその操作性に優れ、アーム６が器具本体２の背面側に位置することで、器具本体２の高さを低くして小型化が可能となる。
【００３５】
更に、スイッチ取付部２ｂに器具本体２内部が見えないような凸部２ｅを器具本体２に設けることでスイッチ５が前倒しにならなくて操作性が維持され且つ器具本体２とスイッチカバー５ａの隙間から器具本体２の内部が見えなくなるので外観性が向上する。
【００３６】
更に、調光ボリューム１０は、ボリュームカバー１０ｃ有し、ボリュームカバー１０ｃは高円滑性樹脂で形成しているので前記調光ボリューム１０の操作性を損なうことなく小型化が可能となる。
【００３７】
更に、点灯装置３は、絶縁物である背面部品３ａに取り付けられると共に、器具本体２と取付台９を固定する鉄製の台８の内部に配置しているため、器具本体２を小さくすることができる。更に、点灯装置３の上部に不燃材（図示せず）が設けられているので器具本体２の高さを低くすることができる。
【００３８】
更に、器具本体２と取付台９を固定する鉄製の台８の側面が器具本体２の側面の前後方向に配置しているため第一のアーム可動部６ａを鉄製の台８の位置に固定することができるので外観性が向上する
更に、鉄製の台８の上部に調光ボリューム１０が下方より取り付ける孔（図示せず）を設けているので調光ボリューム１０を鉄製の台８の下方より取り付けることができるので器具本体２を小さくすることができる。
【図面の簡単な説明】
【００３９】
【図１】（ａ）本願発明の一実施形態であるスタンド型照明器具の正面図、（ｂ）は同上の側面断面図である。
【図２】従来のスタンド型照明器具（第１の従来例）の側面断面図である。
【図３】別の従来のスタンド型照明器具（第２の従来例）の側面断面図である。
【図４】（ａ）特許文献１に記載のスタンド型照明器具（第３の従来例）の斜視図、（ｂ）同上の器具本体の部分の斜視図である。
【符号の説明】
【００４０】
１      スタンド型照明器具
２      器具本体
２ａ    ボス
２ｂ    スイッチ取付部
２ｃ    取付部材
２ｄ    凹所
３      点灯装置
４      灯具
５      スイッチ
５ａ    スイッチカバー
６      アーム
８      鉄製の台
９      取付台
１０    調光ボリューム
１０ａ  基板
１０ｂ  孔
１０ｃ  ボリュームカバー
【図１】
2005216496.tif 000003
【図２】
2005216496.tif 000004
【図３】
2005216496.tif 000005
【図４】
2005216496.tif 000006